(57)【要約】【課題】低温下でも優れた空気清浄効果を発揮する電気掃除機を提供する。【解決手段】針状電極２５、針状電極２５を冷却するペルチェ素子２３からなり針状電極２５に高電圧を印加してナノイーイオンを発生させるナノイーイオン発生手段３３と、外気を吸引してナノイーイオンを排出させる外気送風ファン３５と、ナノイーイオン発生手段３３近傍の温度を検出する温度検出手段３８と、外気送風ファン３５の上流側と電動送風機２を収納する電動送風機収納室２０を連通する連通経路５０と、連通経路５０を開閉する通路開閉手段５３を備え、温度検出手段３８で検出された温度が所定値より低い場合に、通路開閉手段５３を開状態にして、電動送風機２の排気風の一部を外気送風ファン３５の上流側へ流入させるもので、低温下であっても、ナノイーイオンを安定して排出し、微粒子水の質量を浮遊塵埃に付加して床面への落下を早め、塵埃の捕集率を向上できる。【選択図】図２
2011200371.tif 000002
【特許請求の範囲】
【請求項１】
塵埃を吸引する吸引風を発生させると共に電動送風機収納室に収納された電動送風機と、放電電極、前記放電電極を放熱フィンで冷却して水分を結露させる電極冷却手段からなり前記放電電極に高電圧を印加してイオンミスト（以下ナノイーイオンと呼ぶ）を発生させるナノイーイオン発生手段と、外気を吸引して前記ナノイーイオンを排出させる外気送風ファンと、前記ナノイーイオン発生手段近傍の温度を検出する温度検出手段と、前記外気送風ファンの上流側と前記電動送風機収納室を連通する連通経路と、前記連通経路を開閉する通路開閉手段を備え、前記温度検出手段で検出された温度が所定値より低い場合に、前記通路開閉手段を開状態にして、前記電動送風機の排気風の一部を前記外気送風ファンにより前記外気送風ファンの上流側へ流入させることを特徴とする電気掃除機。
【請求項２】
外気送風ファンの上流側に設けられると共に外気を取り入れるための取り入れ口を設け、前記取り入れ口に圧力差により開閉する圧力開閉弁を設け、連通経路を前記取り入れ口近傍に配し、前記連通経路から流入する電動送風機の排気風が多い場合に、前記圧力開閉弁が閉方向へ動作することを特徴とする請求項１に記載の電気掃除機。
【請求項３】
温度検出手段により検出された温度に応じて通路開閉手段の開閉量を制御することを特徴とする請求項１または２に記載の電気掃除機。
【請求項４】
通路開閉手段をバイメタルにより構成すると共に温度検出手段と兼用することを特徴とする請求項１〜３のいずれか１項に記載の電気掃除機。
【請求項５】
連通経路に、電動送風機からの排気風に含まれる塵埃を捕集するフィルターを備えたことを特徴とする請求項１〜４のいずれか１項に記載の電気掃除機。
【発明の詳細な説明】
【技術分野】
【０００１】
本発明は、空気清浄効果の高い電気掃除機に関するものである。
【背景技術】
【０００２】
従来のこの種の電気掃除機として、電動送風機の排気と共に部屋中にイオンを放出させる高電圧の放電電極で構成したイオン発生器と、塵埃を捕集する不織布を用いた集塵袋を内蔵する電気掃除機本体と、前記電動送風機に連通し塵埃を吸引する吸込み具を備え、前記電動送風機の排気で、イオンを部屋中に放出し、室内で対流させる事で、浮遊する塵埃を帯電させ、前記不織布を用いた集塵袋で、前記イオンで帯電された塵埃を捕集させるようにしたものが提案されている（例えば、特許文献１参照）。
【０００３】
また、マイナスイオンミストは、被付着物に付着すると、該被付着物の脱臭、除菌を行う脱臭、除菌作用を果たすことが知られている（例えば、特許文献２参照）。
【先行技術文献】
【特許文献】
【０００４】
【特許文献１】特開２００８−２１２３８９号公報
【特許文献２】特開２００６−６８７１１号公報
【発明の概要】
【発明が解決しようとする課題】
【０００５】
しかしながら、上記特許文献１に記載されたような従来の電気掃除機の構成では、イオンの帯電した室内に浮遊する微細塵埃が床面に落下するまでには時間を必要とするため、空気清浄効果が不十分な電気掃除機となっていた。
【０００６】
本発明は上記従来の課題を解決するものであって、優れた空気清浄効果を有すると共に低温下であっても、放電電極の凍結を防止し、早く確実にマイナスイオンミストを発生させることができる電気掃除機を提供することを目的とする。
【課題を解決するための手段】
【０００７】
前記従来の課題を解決するために、本発明の電気掃除機は、塵埃を吸引する吸引風を発生させると共に電動送風機収納室に収納された電動送風機と、放電電極、前記放電電極を放熱フィンで冷却して水分を結露させる電極冷却手段からなり前記放電電極に高電圧を印加してイオンミスト（以下ナノイーイオンと呼ぶ）を発生させるナノイーイオン発生手段と、外気を吸引して前記ナノイーイオンを排出させる外気送風ファンと、前記ナノイーイオン発生手段近傍の温度を検出する温度検出手段と、前記外気送風ファンの上流側と前記電動送風機収納室を連通する連通経路と、前記連通経路を開閉する通路開閉手段を備え、前記温度検出手段で検出された温度が所定値より低い場合に、前記通路開閉手段を開状態にして、前記電動送風機の排気風の一部を前記外気送風ファンにより前記外気送風ファンの上流側へ流入させるもので、低温下であっても、微粒子水の質量を浮遊塵埃に付加して床面への落下を早くし、掃除中の吸込み具から吸い取ることができる捕集率を向上させるナノイーイオンを早く確実に安定して排出し、ナノイーイオンの付着した塵埃の脱臭、除菌に効果を果たし、空気清浄効果を良好にする電気掃除機を提供できる。
【発明の効果】
【０００８】
本発明の電気掃除機は、優れた空気清浄効果を有すると共に、低温下であっても、微粒子水の質量を付加して床面への落下を早くし、掃除中の吸込み具から吸い取ることができ
る捕集率を向上させるナノイーイオンを早く確実に安定して排出し、ナノイーイオンの付着した塵埃の脱臭、除菌に効果を果たす電気掃除機を提供することを目的としている。
【図面の簡単な説明】
【０００９】
【図１】本発明の実施の形態１における電気掃除機の外観斜視図
【図２】同電気掃除機の制御ブロック図
【図３】同電気掃除機の断面図
【図４】同電気掃除機のナノイーイオン発生装置の外観斜視図
【図５】同電気掃除機の空気清浄効果を示すグラフ
【図６】本発明の実施の形態２における電気掃除機の断面図
【図７】本発明の実施の形態３における電気掃除機の断面図
【発明を実施するための形態】
【００１０】
第１の発明は、塵埃を吸引する吸引風を発生させると共に電動送風機収納室に収納された電動送風機と、放電電極、前記放電電極を放熱フィンで冷却して水分を結露させる電極冷却手段からなり前記放電電極に高電圧を印加してイオンミスト（以下ナノイーイオンと呼ぶ）を発生させるナノイーイオン発生手段と、外気を吸引して前記ナノイーイオンを排出させる外気送風ファンと、前記ナノイーイオン発生手段近傍の温度を検出する温度検出手段と、前記外気送風ファンの上流側と前記電動送風機収納室を連通する連通経路と、前記連通経路を開閉する通路開閉手段を備え、前記温度検出手段で検出された温度が所定値より低い場合に、前記通路開閉手段を開状態にして、前記電動送風機の排気風の一部を前記外気送風ファンにより前記外気送風ファンの上流側へ流入させるもので、低温下であっても、微粒子水の質量を浮遊塵埃に付加して床面への落下を早くし、掃除中の吸込み具から吸い取ることができる捕集率を向上させるナノイーイオンを早く確実に安定して排出し、ナノイーイオンの付着した塵埃の脱臭、除菌に効果を果たし、空気清浄効果を良好にする電気掃除機を提供できる。
【００１１】
第２の発明は、特に、第１の発明の外気送風ファンの上流側に設けられると共に外気を取り入れるための取り入れ口を設け、前記取り入れ口に圧力差により開閉する圧力開閉弁を設け、連通経路を前記取り入れ口近傍に配し、前記連通経路から流入する電動送風機の排気風が多い場合に、前記圧力開閉弁が閉方向へ動作するもので、温度検出手段での検出温度が所定温度に対し低く、連通経路が開状態である場合には、外気送風ファンの上流側は電動送風機の排気圧の影響で外気圧より高くなる。そのため、取り入れ口に圧力差により開閉する圧力開閉弁を設けることで、外気送風ファンの上流側の圧力が外気圧より高くなる連通経路が開状態の場合には、取り入れ口を閉状態に近づけ、低温である外気が放電電極近傍へ流入することを抑制することができ、より早く放電電極近傍の温度を所定値まで上げ、低温下において、より早く確実にマイナスイオンミストを発生させる電気掃除機を提供できる。
【００１２】
第３の発明は、特に、第１又は第２の発明の温度検出手段により検出された温度に応じて通路開閉手段の開閉量を制御するもので、例えば、検出温度が所定温度に近い場合は、開閉量を少なくすることで、電動送風機の熱量によって放電電極近傍の温度が急激に上がること抑制し、逆に検出温度が所定温度に対しかなり低い場合には、開閉量を多くして早く放電電極近傍の温度を所定値まで上がるようにすることができる。これにより、低温下において、より早く安定してマイナスイオンミストを発生させる電気掃除機を提供できる。
【００１３】
第４の発明は、特に、第１〜３のいずれか一つの発明の通路開閉手段をバイメタルにより構成すると共に温度検出手段と兼用するもので、構成を容易にすることができ、安価な電気掃除機を提供することができる。
【００１４】
第５の発明は、特に、第１〜４のいずれか一つの発明の連通経路に、電動送風機からの排気風に含まれる塵埃を捕集するフィルターを備えたもので、放電電極に塵埃が付着することを防止することができ、より確実にマイナスイオンミストを発生させる電気掃除機を提供できる。
【００１５】
以下、本発明の実施の形態について、図面を参照しながら説明する。なお、この実施の形態によって本発明が限定されるものではない。
【００１６】
（実施の形態１）
以下、本発明の第１の実施の形態における電気掃除機について、図１〜５を参照しながら説明する。図１は、本実施の形態１における電気掃除機の外観斜視図、図２は、同電気掃除機の制御ブロック図、図３は、同電気掃除機の断面図、図４は、同電気掃除機のナノイーイオン発生装置の外観斜視図である。
【００１７】
図１、２において、本実施の形態における電気掃除機の電気掃除機本体１は、後部に吸引風を発生する電動送風機２を内蔵し、その前部に、着脱自在で塵埃を捕集するエレクトレット加工された集塵袋３を配置している。集塵袋３の材質は、ポリプロピレン等の熱可塑性繊維で構成されており、空気等の摩擦で帯電することになる。
【００１８】
電気掃除機本体１の後方下部の両側に１対の走行用の車輪４が回転自在に取着され、底面前部には、同じく走行用のキャスター５が取着されている。電気掃除機本体１に着脱自在に接続されるホース８の手元には、操作手段６があり、操作手段６からの信号を制御手段３０が受け、制御手段３０は、各種の動作モード（例えば強・中・弱・切等の吸込み力）に応じた制御を行うようになっている。
【００１９】
ホース８の電気掃除機本体１との接続部には、塵埃検出手段７が設置されている。塵埃検出手段７は、発光素子７ａと受光素子７ｂを互いに対向させて配置して構成され、発光素子７ａと受光素子７ｂの間を塵埃が通過すると、一時的に受光素子７ｂによる受光が遮られて、パルス波形が発生する。
【００２０】
ホース８の片方は、伸縮自在或いは継ぎ自在の延長管９に接続される。延長管９は、掃除面に接して被掃除面の塵埃等を吸引するための吸込み具１０と接続され、吸込み具１０は、被掃除面の塵埃を掻き上げる回転ブラシ１１と、ベルト１２を介して回転ブラシ１１を回転駆動する電動機１３を内蔵している。
【００２１】
図３において、電動送風機２の収納する電動送風機収納室２０とは、樹脂等で分離された上方空間部のナノイーイオン発生手段収納室２１には、ナノメータサイズの微粒子水で包まれたマイナスイオンを発生させる為のナノイー制御手段２２と、ナノイーイオン発生手段３３と、マイナスイオンミストを部屋中に放出し、拡散させるための気流を起こす外気送風ファン３５が収納され、各々が保持固定されている。
【００２２】
図４において、ナノイーイオン発生手段３３は、電極冷却手段であるペルチェ素子２３と、放熱フィン２４と、放電電極である針状電極２５と、アース電極２６から構成されている。
【００２３】
ナノイーイオン発生手段３３は、図に示すように、針状電極２５とアース電極２６が保持固定されており、針状電極２５は、電気的には絶縁されているが、温度伝達的にペルチェ素子２３と接続されていて、ペルチェ素子２３の電圧印加によって、針状電極２５が冷却され。さらに、ペルチェ素子２３は放熱フィン２４とも温度伝達的に接続されており、
針状電極２５の冷却と相殺される発熱を放熱フィン２４に放熱するようになっている。
【００２４】
ナノイー制御装置２２は、針状電極２５とアース電極２６間に高圧を印加する高圧発生装置２７と、針状電極２５を冷却するペルチェ素子２３に電圧を印加する直流電源手段２８があり、針状電極２５に周辺の水分が結露する温度に制御させている。
【００２５】
この構成により、ナノイーイオン発生手段３３の高電圧（例えば略６０００Ｖ）が印加された針状電極２５は、内蔵するペルチェ素子２３のペルチェ効果によって冷却されて、空気中の水分を結露させ、コロナ放電によって微粒子水で包まれたマイナスイオンの微細粒子（例えば直径で略５〜２０ｎｍ）であるナノメータサイズのマイナスイオンミストを生成する。ナノメータサイズのマイナスイオンミストは、マイナスイオン単独で存在する場合より空気中に長時間（マイナスイオンの約６倍の寿命で）存在することが可能であり、且つ、ナノメータサイズと非常に小さいので、空気中に長時間浮遊できると共に、拡散性が高いので、室内に満遍なく浮遊する。
【００２６】
外気送風ファン３５は、ナノイーイオンを部屋中に放出し、拡散させるための気流を起こす放出手段で、室内の空気を取り入れ口３６より取り込み、ナノイーイオン発生手段３３に送風し、ナノイーイオン放出口３７よりナノイーイオンを部屋に放出する。２９は、電動送風機２の排気を排出させる主排気口であり、放出されたナノイーイオンを室内に拡散させる気流を発生させる。
【００２７】
ここで、電動送風機２の電動送風機収納室２０と外気送風ファン３５の上流側６０とを連通させる連通経路５０（連通穴でもよい）があり、電動送風機２の排気の一部が外気送風ファン３５を通じナノイーイオン発生手段３３を経由して、ナノイーイオン放出口３７より放出されるようになっている。
【００２８】
また、ナノイーイオン発生手段収納室２１内のナノイーイオン発生手段３３の針状電極２５の近傍には、温度検出手段３８が配されており、検出された温度により、通路開閉制御手段３９を通じ、連通経路５０に配されている通路開閉手段５３を制御し、連通経路５０の開閉が制御される構成になっている。
【００２９】
５１は、外気送風ファン３５での室内の空気の取り込みによって塵埃がナノイーイオン発生手段３３のナノイーイオン発生手段収納室２１に入らないようにするためのフィルターＡで外気送風ファン３５の吸気側で使用者が塵埃を取り除けるように取り外しできるようになっている。５２は、連通経路５０からの塵埃の侵入を防止するフィルターＢである。
【００３０】
図２は、この電気掃除機の制御ブロック図で、３１は、電動送風機２を駆動するための双方向性サイリスタなどで構成された電動送風機駆動手段であり、電動送風機２を位相制御し吸込み力を可変させる。３２は、回転ブラシ１１をベルト１２を介して回転駆動する電動機１３を位相制御するための電動機駆動手段である。
【００３１】
３０は、マイクロコンピュータなどで構成された制御手段である。制御手段３０は、使用者が操作する操作手段６のスイッチ操作情報を取り込み、その情報をもとに、電動機駆動手段３２および電動送風機駆動手段３１へ、位相制御するための点弧パルスを出力する制御を行う。
【００３２】
４０は、ナノイー制御装置２２を動作させるナノイー駆動手段で、制御手段３０が駆動することでナノイー制御装置２２に電力が供給される。ナノイー制御装置２２に電力が供給されると、高圧発生装置２７によって、針状電極２５とアース電極２６間に高電圧を印
加し、さらに冷却手段であるペルチェ素子２３に電圧を印加する。
【００３３】
外気送風ファン３５は、制御手段３０によって制御されている。また、温度検出手段３８によって検出された温度は、制御手段３０を介し、通路開閉制御手段３９に伝達され、通路開閉制御手段３９は、通路開閉手段５３を制御し、連通経路５０の開閉を行う。４１は、電気掃除機に電力を供給する商用電源である。
【００３４】
以上のように構成された本実施の形態における電気掃除機について、以下その動作、作用を説明する。
【００３５】
使用者が、操作手段６を操作し、例えば、「中」を選択すると、制御手段３０は、操作手段６からの情報を基に、電動送風機駆動手段３１及び電動機駆動手段３２に予め定められた信号を送り、電動送風機２及び電動機１３を駆動する。そして、制御手段３０は、外気送風ファン３５を動作させ、外気送風ファン３５は、取り外し可能なフィルターＡ５１によって塵埃が取り除かれた室内の空気を取り入れ口３６より取り込み、ナノイーイオン発生手段３３を経由してナノイーイオン放出口３７より放出する。
【００３６】
また、制御手段３０は、ナノイー駆動手段４０に信号を送り、ナノイー制御装置２２に電力が印加される。電力が印加されたナノイー制御装置２２は、高圧発生装置２７にて高圧を出力し、ナノイーイオン発生手段３３の針状電極２５とアース電極２６間に印加する。また、直流電源手段２８にて、ペルチェ素子２３に電圧を出力して、針状電極２５を冷却する。針状電極２５が冷却されると、周辺の水分が結露して、針状電極２５に水が生成され、水に高電圧が印加されるとナノイーイオンが発生する。
【００３７】
ナノメータサイズのマイナスイオンミストは、マイナスイオン単独で存在する場合より空気中に長時間（マイナスイオンの約６倍の寿命で）存在することが可能であり、且つ、ナノメータサイズと非常に小さいので、空気中に長時間浮遊できると共に、拡散性が高いので、室内に満遍なく浮遊する。
【００３８】
このとき、温度検出手段３８によって検出された針状電極２５近傍の温度が所定温度（例えば、５℃）以下であった場合には、冷却された針状電極２５は、０℃以下となり針状電極２５に結露する水分は凍結してしまいマイナスイオンミストを発生できなくなってしまうため、制御手段３０は、通路開閉制御手段３９を通じ通路開閉手段５３を制御し、連通経路５０を開状態にして、電動送風機２で発生した排気風の一部を外気送風ファン３５を通じ流入させ針状電極２５近傍の温度を上昇させ、針状電極２５の凍結を抑制し、低温環境下でも、確実にナノイーイオンを発生させる。また、外気送風ファン３５により電動送風機２の排気風の熱を拡散させ均等に針状電極２５近傍に供給させているため安定してナノイーイオンを発生させることができる。
【００３９】
そして、温度検出手段３８によって検出された針状電極２５近傍の温度が所定温度（例えば５℃）以上になると、制御手段３０は、通路開閉制御手段３９を通じて、通路開閉手段５３を制御し、連通経路５０を閉状態にする。
【００４０】
ナノイーイオンを部屋中に放出させる本電気掃除機の構成上、電気掃除機使用開始時における温度検出手段３８によって検出された針状電極２５近傍の温度が外気の温度とほぼ同等であることは言うまでもなく、また温度検出手段３８が、外気の温度を検出する手段でも同等の効果が得られる。
【００４１】
さらに、温度検出手段３８によって検出された針状電極２５近傍の温度が、所定温度（例えば、５℃）よりもかなり低い温度（例えば、−５℃）である場合には、冷却された針
状電極２５は約−１０℃となるため、電動送風機２で発生した排気熱を外気送風ファン３５により多く流入させ早く針状電極２５近傍の温度を上昇させるよう制御手段３０は通路開閉制御手段３９を通じて、通路開閉手段５３を制御し、連通経路５０の通路面積を大きくするようにする。
【００４２】
逆に、温度検出手段３８によって検出された針状電極２５近傍の温度が、所定温度（例えば、５℃）に近い温度（例えば、４℃）である場合には、必要以上に電動送風機２の排気熱を外気送風ファン３５により多く流入させないよう制御手段３０は、通路開閉制御手段３９を通じて通路開閉手段５３を制御し、連通経路５０の通路面積を小さくするようにすることで、より安定的にナノイーイオンを発生させることもできる。
【００４３】
発生したナノイーイオンは、外気送風ファン３５や、電動送風機２の排気の一部の風量によってナノイーイオン放出口３７より排出される。
【００４４】
ナノイーイオン放出口３７から放出されたナノイーイオンは、外気送風ファン３５の送風と電動送風機２の排気によって室内に拡散され、室内に浮遊する微細な塵埃に付着帯電して、床面に落下させることができる。落下したナノイーイオンの付着帯電した塵埃は、吸込み具１０で吸引され、延長管９、ホース８を通過した後、エレクトレット加工された集塵袋３で捕集される。
【００４５】
また、ナノメータサイズのナノイーイオンは、反応性が高く、臭い成分に作用して無臭成分に分解する能力を持つことが一般に知られており、室内のカーテンや浮遊塵埃等の脱臭の効果が得られると共に、室内に浮遊または付着しているアレルゲン、ウイルス等の不活化やカビ、細菌等の殺菌に対しても高い効果も得られる。
【００４６】
ここで、従来の電気掃除機と本実施の形態における電気掃除機を用いて、空気清浄機の規格ＪＥＭ１４６７の試験法に準じた試験を行なった結果を以下に説明する。試験は、２０〜３０ｍ３の測定室内でタバコ吸煙機でタバコ５本を発煙させ、タバコ吸煙機と同程度の撹拌ファン（図示せず）を運転させながら濃度分布を一定にする。
【００４７】
その後、電気掃除機を運転させながら、粒子径０．３μｍのタバコの煙の減衰率を時間毎に測定するものである。
【００４８】
図５が、上記試験の結果をグラフにして示したもので、運転時間５分後の比較では、本実施の形態における電気掃除機の除去率が、従来の電気掃除機より約２０％良い結果であった。これは、従来の電気掃除機に比べ、タバコの煙をより早く床面に沈降させて、集塵していることが、グラフより読み取れる。今回用いたタバコの煙も浮遊塵埃のひとつであるが、浮遊塵埃としては、様々な粒子径の物が存在し、最大では、約１μｍの大きさの物まで存在する。また、沈降性塵埃でも花粉等は、数十μｍの粒子径で、浮遊している時間も長い。浮遊している粒子径の大きなものほど、より多くのマイナスイオンミストが付着帯電できるので、床面へのより早い沈降が期待できるものである。
【００４９】
以上のように、本実施の形態によれば、電動送風機２を備えた電気掃除機において、針状電極２５近傍の温度を検出する温度検出手段３８と、外気送風ファン３５の上流側と電動送風機収納室２０を連通する連通経路５０を備え、温度検出手段３８により検出された検出温度に応じて通路開閉制御手段３９を通じ通路開閉手段５３を制御し、連通経路５０を開閉することで、低温環境下であっても微粒子水の質量を付加して床面への落下を早くし、掃除中の吸込み具１０から吸い取ることができる捕集率を向上させるナノイーイオンを早く確実に安定して排出し、ナノイーイオンの付着した塵埃の脱臭、除菌に効果を果たし、空気清浄効果を良好にする電気掃除機を提供できる。
【００５０】
また、ナノメータサイズのマイナスイオンミストを従来のイオンのように直接的に電動送風機２の排気で放出すると、電動送風機２の熱によって、ミストが消滅し効果が得られなくなってしまうが、本実施の形態では、外気送風ファン３５で外気を取り込み、熱量の少ない空気でマイナスイオンミストを排出するようにしているので、安定してマイナスイオンミストの効果を得ることができる。
【００５１】
（実施の形態２）
図６は、本発明の第２の実施の形態における電気掃除機の断面図である。なお、上記実施の形態１における電気掃除機と同一部分には同一符号を付して、その説明を省略する。本実施の形態における電気掃除機は、図６に示すように、圧力差により開閉する圧力開閉弁６１を、空気の取り入れ口３６に設けたもので、他の構成は、上記実施の形態における電気掃除機と同一である。
【００５２】
以上のように構成された電気掃除機について、以下その動作、作用を説明する。
【００５３】
温度検出手段３８によって検出された針状電極２５近傍の温度が所定温度（例えば、５℃）よりもかなり低い温度（例えば、−５℃）である場合に、冷却された針状電極２５は約−１０℃となるため、電動送風機２で発生した排気熱を、外気送風ファン３５により多く流入させ早く針状電極２５近傍の温度を上昇させるよう、制御手段３０は、通路開閉制御手段３９を通じて通路開閉手段５３を制御し、連通経路５０の通路面積を大きくするようにする。
【００５４】
連通経路５０の通路面積を大きくすることで、外気送風ファン３５の上流側６０に電動送風機２の排気風が多く流れ込み、外気圧よりも圧力が上昇する。そのため圧力開閉弁６１は、外気圧と外気送風ファン３５の上流側６０の圧力の差により空気を取り入れる取り入れ口３６を閉じる方向に動作する。このような構造にすることで、低温である外気が放電電極近傍２５へ流入することを抑制することができる。
【００５５】
以上のように、本実施の形態によれば、取り入れ口３６に、圧力差により開閉する圧力開閉弁６１を設けることにより、低温である外気が針状電極２５近傍へ流入することを抑制し、より早く針状電極近傍２５の温度を所定値まで上げ、低温下において、より早く確実にマイナスイオンミストを発生させることができる電気掃除機を提供できる。
【００５６】
（実施の形態３）
図７は、本発明の実施の形態３における電気掃除機の断面図である。なお、上記実施の形態における電気掃除機と同一部分には同一符号を付して、その説明を省略する。
【００５７】
本実施の形態における電気掃除機は、図７に示すように、連通経路５０の開閉を、温度によって形状が可変するバイメタルで構成された通路開閉手段７０で行うようにしたもので、他の構成については、上記実施の形態に述べた電気掃除機と同一である。
【００５８】
以上のように構成された本実施の形態における電気掃除機について、以下その動作、作用を説明する。
【００５９】
針状電極２５近傍の温度が、所定温度（例えば、５℃）以下の場合には、冷却された針状電極２５は、０℃以下となり針状電極２５に結露する水分が凍結してしまい、マイナスイオンミストを発生できなくなってしまうため、形状が可変するバイメタルで構成される通路開閉手段７０は、連通経路５０を開状態にするよう形状を維持し、電動送風機２で発生した排気熱を、外気送風ファン３５により流入させ針状電極２５近傍の温度を上昇させ
、針状電極２５の凍結を抑制し、低温環境下でも確実にナノイーイオンを発生させる。
【００６０】
そして、温度検出手段３８によって検出された針状電極２５近傍の温度が、所定温度（例えば、５℃）以上になると、形状が可変するバイメタルで構成された通路開閉手段７０は連通経路５０を開状態にするよう形状を維持する。
【００６１】
また、本実施の形態では、通路開閉手段７０を、温度で形状が変化するバイメタルで構成しているので、通路開閉手段７０を、温度検出手段３８と兼用することができ、構成が容易で、安価な電気掃除機を提供することができる。
【産業上の利用可能性】
【００６２】
以上のように、本発明にかかる電気掃除機は、簡便な手段により空気清浄効果の優れた各種家庭用、業務用電気掃除機等に広く適用できる。
【符号の説明】
【００６３】
２  電動送風機
２２  ナノイーイオン制御装置
２３  ペルチェ素子（電極冷却手段）
２４  放熱フィン
２５  針状電極（放電電極）
２６  アース電極
３３  ナノイーイオン発生手段
３５  外気送風ファン
３８  温度検出手段  
３９  通路開閉制御手段
５０  連通経路
５３  通路開閉手段
６１  圧力開閉弁
【図１】
2011200371.tif 000003
【図２】
2011200371.tif 000004
【図４】
2011200371.tif 000005
【図３】
2011200371.tif 000006
【図５】
2011200371.tif 000007
【図６】
2011200371.tif 000008
【図７】
2011200371.tif 000009